(57)【要約】【課題】排泄時に、安定的かつ確実に使用でき、しかも、手袋等を別途、用意しなくても頗る衛生的に使用できる簡易トイレを提供すること。【解決手段】不透水性の袋体２の胴部の内面にシート状の水分吸収体３を固定した。排泄時には、袋体２を裏返して吸収体３の吸収面を袋体２の胴部に露出させ、裏返した袋体２内へ手を差し入れて吸収体３で排泄物を受ける。その後、再び袋体２を裏返して吸収体３と共に排泄物を袋体２に収容する。【選択図】      図１
2004275196.tif 000002
【特許請求の範囲】
【請求項１】
不透水性の袋体と、該袋体の胴部内面に固定され、水分を吸収するシート状吸収体とから成り、排泄時に該袋体を裏返して該吸収体の吸収面を該袋体の胴部に露出させて使用することを特徴とした簡易トイレ。
【請求項２】
前記袋体が、手のひらを開いたときの幅と略同じ幅を有する平袋から成る請求項１記載の簡易トイレ。
【請求項３】
前記袋体の袋口部に、該袋体を密封する封止手段を備えている請求項１または請求項２記載の簡易トイレ。
【請求項４】
前記吸収体の吸収面側に襞が設けられている請求項１乃至請求項３のいずれかに記載の簡易トイレ。
【請求項５】
前記吸収体の吸収面側の縁部に粘着部が設けられている請求項１乃至請求項４のいずれかに記載の簡易トイレ。
【請求項６】
前記粘着部に剥離ライナが貼設されている請求項５記載の簡易トイレ。
【請求項７】
前記吸収体が、前記袋体の袋口部側で該吸収体の縁部同士が直接重なるように吸収面を内側にして二つ折りされている請求項１乃至請求項６記載の簡易トイレ。
【発明の詳細な説明】
【０００１】
【発明の属する技術分野】
本発明は、簡易トイレ、より詳しくは、排泄時に極めて手軽に使用することができる簡易トイレに関するものであり、例えば、自動車等による移動時、登山等の野外活動時、地震等の天災地変時、または医療、介護時の簡易トイレとして好適である。
【０００２】
【従来の技術】
従来、トイレ以外の場所で排泄行為を行なう場合、一般的に、尿瓶、おまる等を使用する。しかし、これら尿瓶、おまる等は嵩張って持ち運びに不便であり、ドライブ等に持ち出すには適当でない。しかも、使用後に尿瓶、おまる等を洗浄するのが面倒であり、また、排泄物をそのまま廃棄する場所が見つからなくて困るという難点もある。
【０００３】
そこで、従来、水分吸収体を収容した使い捨ての排尿袋が提案されている（例えば、特許文献１参照）。これは、袋体の袋口部から直接、袋内へ排尿し、その後、袋口部を封止して袋ごと廃棄処分するものであり、持ち運びに嵩張ることもなく手軽に利用することができる。
【０００４】
しかしながら、この袋タイプの簡易トイレは、不安定な袋体の袋口部を手で開いた状態に保持しながら、そのまま排泄器官にあてがう必要があり、素手で取り扱うには衛生的でなかった。しかも、排泄中ばかりでなく、排泄後に袋体を排泄器官から外して袋口部を封止する際にも、排泄物が手に付着するおそれがあり、介護人等の他人が排尿袋を扱う場合は勿論のこと、排泄行為者が自ら排尿袋を利用する場合、排尿袋を取り扱う者の衛生を保つには、別途、手袋等を用意しなければならなかった。
【０００５】
【特許文献１】
登録実用新案第３０２５７１３号公報
【０００６】
【発明が解決しようとする課題】
本発明は、従来の袋タイプの簡易トイレに上記のような問題があったことに鑑みて為されたもので、安定的かつ確実に使用でき、しかも、手袋等を別途、用意しなくても頗る衛生的に使用できる簡易トイレを提供することにある。
【０００７】
【課題を解決するための手段】
本発明の簡易トイレは、不透水性の袋体と、該袋体の胴部内面に固定され、水分を吸収するシート状吸収体とから成り、排泄時に該袋体を裏返して該吸収体の吸収面を該袋体の胴部に露出させて使用することを特徴とする。
【０００８】
また、本発明の簡易トイレは、前記袋体が手のひらを開いたときの幅と略同じ幅を有する平袋から成ることを特徴とする。
【０００９】
また、本発明の簡易トイレは、前記袋体の袋口部に、該袋体を密封する封止手段を備えていることを特徴とする。
【００１０】
また、本発明の簡易トイレは、前記吸収体の吸収面側に襞が設けられていることを特徴とする。
【００１１】
また、本発明の簡易トイレは、前記吸収体の吸収面側の縁部に粘着部が設けられていることを特徴とする。
【００１２】
また、本発明の簡易トイレは、前記粘着部に剥離ライナが貼設されていることを特徴とする。
【００１３】
また、本発明の簡易トイレは、前記吸収体が前記袋体の袋口部側で該吸収体の縁部同士が直接重なるように吸収面を内側にして二つ折りされていることを特徴とする。
【００１４】
【発明の実施の形態】
図１及び図２に示すように、本実施形態の簡易トイレ１は、不透水性の袋体２と、この袋体２の胴部の内面に固定された、水分を吸収するシート状の吸収体３とから構成されている。図２は図１のＡ−Ａ線断面図である。
【００１５】
袋体２は、予め筒状に成形された不透明、不透水性の合成樹脂フィルムの一端をヒートシールして袋底部２１を形成し、他端側を袋口部２２とした平袋形状に構成されており、この袋体２の袋口部２２には、封止手段として周知のファスナ２３が設けられている。即ち、袋口部２２の内面には、ファスナ２３の嵌合凸部と嵌合凹部とが対向して配設されており、これらを互いに嵌合することによって袋口部２２を開閉自在に気密、液密状態に密封できるようになっている。また、袋体２内に差し入れた手で袋体２を容易に扱うことができるように、袋体２の幅を、手のひらを開いたときの幅と略同じにしている。なお、本明細書では袋体２の袋口部２２から袋底部２１に亘る方向を袋体の長さ方向とし、この袋体の長さ方向と直交する方向を袋体の幅方向としている。
【００１６】
シート状の吸収体３は、図２に示すように、透水性を有する合成樹脂製の不織布から成る袋３１と、この袋３１内に収容された、わた状物、高分子吸収ポリマー及び消臭剤を混合した吸収材３２とから構成されており、全体に柔軟性を有している。高分子吸収ポリマーは、自重の２０倍以上の液体を吸収して保持し得る保持性能を有し、ゲル化する粒子状のものが好ましく、例えば、デンプン−アクリル酸塩グラフト共重合体、デンプン−アクリロニトリル酸塩重合体などが好ましい。袋３１内にはその他、中和剤、抗菌剤等を収容しても良い。また、この吸収体３は、排泄物の水分を吸収し保持できれば足り、吸収体３自体を単に例えば脱脂綿、紙等で構成することも可能である。
【００１７】
かかるシート状の吸収体３の裏側の全面が、上記袋体２の胴部内面に接着固定されており、袋体２を裏返したとき、図３に示すように、吸収体３の表側の吸収面が袋体２の胴部に露出する。この吸収体３の吸収面には、不織布から成る複数の襞３３が設けられている。これら襞３３は、その先端縁を吸収面の中央へ向けた状態で対を成して配設されており、袋体の幅方向に沿って二対四本の襞３３が配設され（図２参照）、袋体の長さ方向に沿って一対二本の襞３３が配設されている。これら襞３３により吸収体３の吸収面中央で受ける排泄物の横漏れを防止する。
【００１８】
また、図４に示すように、吸収体３の吸収面側の三方の縁部には、粘着部３４が設けられている。即ち、袋体２の長さ方向に沿う吸収体３の両側の側縁部（以下、単に吸収体３の側縁部と称す。）と吸収体３の袋底部２１側の縁部（以下、吸収体３の前縁部と称す。）とにそれぞれ帯状の粘着部３４が設けられており、そして、吸収体３の袋口部２２側の縁部（以下、吸収体３の後縁部と称す。）には粘着部を設けていない。
【００１９】
これら三方の粘着部３４の粘着面には、それぞれ剥離ライナ３５が貼設されている。この剥離ライナ３５は、トイレ携帯時における粘着部３４と袋体２の内面との付着を防ぐものであるが、必ずしも剥離ライナ３５を貼設する必要はない。この場合、例えば、袋体２の内面に剥離層を形成したり、袋体２を粘着部３４が剥がれ易い材質で構成することが好ましい。
【００２０】
以下、本実施形態の簡易トイレの使用手順について説明する。
【００２１】
まず、袋体２内に吸収体３が密封収容されて携帯状態にある簡易トイレ１を用意し（図１参照）、ファスナ２３を開いて袋口部２２を開口する。そして、この袋口部２２を外側へ折り返すようにして袋体２全体を完全に裏返すことによって袋体２の胴部に吸収体３を露出させる（図３参照）。
【００２２】
次いで、図４に示すように、吸収体３を上へ向けた状態で袋体２の袋口部２２から手Ｈを差し入れ、手のひらで吸収体３を支える。この際、吸収体３の中央部を窪ませるように支えると使い勝手が良い。そして、他方の手で吸収体３の剥離ライナ３５を剥がして各粘着部３４の粘着面を露出させる。
【００２３】
そして、このまま簡易トイレ１を股間へ運び、吸収体３を排泄器官に近接させて粘着部３４を排泄器官の周囲に付着させる。この状態で排泄行為を行ない、図５に示すように、排泄物Ｅを吸収体３で受け、排泄物Ｅの水分を吸収体３で吸収し保持する。この際、複数の襞３３によって排泄物Ｅの横漏れが防止される。
【００２４】
排泄終了後、粘着部３４を剥がして吸収体３を排泄器官から離し、手Ｈで吸収体３を保持しながら、他方の手で袋体２の袋口部２２を外側へ折り返して再び袋体２を完全に裏返すことにより排泄物Ｅと共に吸収体３を袋体２内に収容する。そして、封止手段のファスナ２３で袋口部２２を密封して、その後、簡易トイレごと排泄物を廃棄処理するのである。
【００２５】
このように、本実施形態の簡易トイレ１は、裏返した袋体２の中へ手Ｈを完全に差し入れた状態で、袋体２の外側の吸収体３を排泄器官に近接させ、そのまま排泄物Ｅを受けることができるので、手Ｈが排泄器官と直接、接触したり、排泄物Ｅが手Ｈに付着するおそれもなく、別途、手袋等を用意しなくても頗る衛生的に使用することができる。
【００２６】
しかも、吸収体３が袋体２に固定されているので、袋体２内に手Ｈを差し入れている限り、吸収体３がずれたり落下したりすることもない。したがって、排泄時に、安定的かつ確実に吸収体３で排泄物Ｅを受けることができ、さらに、排泄後にも、簡単かつ確実に袋体２を裏返して吸収体３を袋体２内に収容することができる。更にまた、吸収体３が袋体２の胴部に固定されているので、袋体２内に差し入れた手Ｈだけで吸収体３を把持することも可能であり、したがって、吸収体３を積極的に把持しながら袋体２を裏返すようにすれば、より簡単かつ確実に吸収体３を袋体２内に収容することができる。
【００２７】
また、本実施形態の簡易トイレ１は、袋体２が手のひらを開いたときの幅と略同じ幅を有する平袋で構成しているので、袋体２内に差し入れた手Ｈによる袋体２及び吸収体３の取り扱い性を向上させることができる。
【００２８】
更にまた、本実施形態の簡易トイレ１は、シート状吸収体３の吸収面側の縁部に粘着部３４を設けているので、排泄時に吸収体３を排泄器官の周囲に付着させて、より確実に排泄物Ｅを吸収体３で受けることができ、排泄行為者にとっても安心して排泄行為を行うことができる。また、吸収体３が袋体２に固定されているので、袋体２内に差し入れた手Ｈを排泄器官から離すだけで、他方の素手を用いることなく簡単に排泄器官の周囲から粘着部３４を剥がすことができ、この点でも衛生的である。なお、例えば、男性が小便をする場合等においては、必ずしも粘着部３４を排泄器官の周囲に付着させる必要はなく、この場合、使用時に剥離ライナ３５を剥離しなくても良い。
【００２９】
更にまた、本実施形態の簡易トイレ１は、袋口部２２を適宜に密封し開口することができるファスナ２３を設けているので、排泄物Ｅと共に吸収体３を収容した袋体２を極めて簡単に密封することができ、封止作業時においても手に排泄物が付着するおそれがない。また、袋体２を不透水性の合成樹脂フィルムで構成しているので、排泄物を収容した袋体２が液漏れすることはない。また、袋体２を不透明の合成樹脂フィルムで構成しているので、袋体２に収容した排泄物等を隠蔽することができる。
【００３０】
更にまた、本実施形態の簡易トイレ１は、使用前の携帯時には、吸収体３が袋体２内に密封収容されているので、吸収体３の衛生を保つことができ、また、吸収体３の高分子吸収ポリマーが携帯時に吸湿してしまい、その吸水性能の低下を来すこともない。同様、消臭剤、中和剤等の各性能が低下することもない。
【００３１】
以上、本発明の一実施形態について説明したが、本発明に係る簡易トイレは、その他の形態でも実施し得るものである。
【００３２】
例えば、上記実施形態では、シート状吸収体３の裏側の全面を袋体２の胴部に接着固定しているが、本発明はこれに限定されるものではなく、吸収体３の裏面を部分的に袋体２の胴部に接着固定しても良い。例えば、図６に示すように、吸収体３の裏側の周縁部４１だけを袋体２に固定したり、図７に示すように、吸収体３の裏側の中央部４２だけを袋体２に固定したり、図８に示すように、吸収体３の裏側の前縁部４３及び後縁部４４だけを袋体２に固定したり、図９に示すように、吸収体３の裏側の角部４５及び中央部４６だけを袋体２に固定したりしても良い。袋体２の裏返し易さや、袋体２内に差し入れた手Ｈによる吸収体３の取り扱い易さ等を考慮して種々の設計変更が可能である。
【００３３】
また、図１０〜図１２に示す簡易トイレ５のように、吸収体３の表面（吸収面）において吸収体の側縁部にだけ粘着部３６及び剥離ライナ３７を配設し、そして、図１１に示すように、吸収体３の裏面において吸収体の前縁部側の約半分の領域４７だけを袋体２に接着固定するようにしても良い。この簡易トイレ５の場合、図１２に示すように袋体２を裏返して吸収体３を袋体２の胴部に露出させ、剥離ライナ３７を剥離した後、図１３に示すように、吸収体３の後縁部を起こして前縁部に重ねるよう二つ折りして各粘着部３６を自身に粘着させれば、図１４に示すように、吸収体３を袋状にすることができ、特に男性の小便Ｆを受けるのに適した簡易トイレを提供することが可能となる。
【００３４】
勿論、この簡易トイレ５は、図１２に示すように、剥離ライナ３７を剥がした後、吸収体３を二つ折りすることなく、そのまま粘着部３６を排泄器官の周囲に付着させて排泄物を受けることも可能である。このように簡易トイレ５は、性別或いは便の大小を問わず、汎用的に使用することができる。
【００３５】
なお、この簡易トイレ５の吸収体３を二つ折りする際、図１５に示すように、吸収体３の後縁部と前縁部とをずらして略Ｊ字状に折曲げるようにしても良い。このことで、吸収体３の重なり合っていない前縁部６側で露出する粘着部３６を排泄器官の周囲に付着させることも可能となり、更にはこの前縁部６を排泄時のガイドとして利用でき、より安定的な排泄が可能となる。
【００３６】
また、この簡易トイレ５は、上述したように、吸収体３の裏面の前縁部側だけを袋体２に接着固定しているが、図１６に示すように、さらに吸収体３の裏面の後縁部側に粘着部７を設け、この吸収体３の後縁部側を袋体２に剥離可能に粘着固定しても良い。この粘着部７によって、排泄物をシート状態で受ける吸収体３の安定性を向上させることができる。吸収体３を袋状にする場合には、粘着部７を袋体２から剥がして吸収体３を二つ折りすれば良い。なお、この粘着部を袋体２の胴部の方に設けて吸収体３の後縁部側を袋体２に粘着固定しても良い。
【００３７】
更にまた、図１７に示す簡易トイレ８のように、吸収体３の表面（吸収面）において吸収体の前縁部にだけ粘着部３８及び剥離ライナ３９を配設し、吸収体３の裏面全体を袋体２の胴部に接着固定するようにしても良い。この簡易トイレ８の場合、図１７に示すように、袋体２を裏返して吸収体３を袋体２の胴部に露出させ、剥離ライナ３９を剥離した後、図１８に示すように、吸収体３の前縁部を二つ折りして粘着部３８を自身に粘着させれば、この吸収体３の前縁部分を袋状にすることができ、排泄物をより確実に受けることが可能となる。
【００３８】
なお、この簡易トイレ８においても、吸収体３の前縁部を二つ折りせず、シート状態で排泄物を受けることもでき、汎用的に使用することができる。また、吸収体３の前縁部だけでなく後縁部にも粘着部を設け、これら吸収体３の前縁部及び後縁部を二つ折りして使用しても良い。
【００３９】
更にまた、図１９に示す簡易トイレ９のように、吸収体３が袋体２に密封収容されて使用前の携帯状態にあるとき、吸収体３が袋体２内でその吸収面を内側にして二つ折りされていても良い。即ち、簡易トイレ９は、吸収体３の後縁部の裏面と中央部の裏面とがそれぞれ接着部９１によって袋体２の胴部内面に接着固定されており、袋口部２２側で吸収体３の縁部同士が、袋体２が介在することなく直接、重なり合うように吸収面を内側にして吸収体３が二つ折りされている。そして更に、袋体２の袋底部２１が袋口部２２側へ折り返されて粘着部９４によって着脱自在に粘着固定されている。符号９２で指示するものは、二つ折りされた吸収体３の他方の縁部の裏面に設けられた粘着部であり、この粘着部９２の粘着面には剥離ライナ９３が貼設されている。この剥離ライナ９３によって粘着部９２と袋体２の内面との付着を防いでいる。
【００４０】
この簡易トイレ９の場合、吸収体３及び袋体２がそれぞれ二つ折りされているので、頗るコンパクトになり、その携帯性を向上させることができる。また、図２０に示すように、ファスナ２３を開いて袋口部２２を開口すれば、そのまま男性の小便Ｆを受けることも可能である。この場合、袋口部２２に吸収体３の吸収面が存在するので、排泄器官が袋体２に接触して不快感を覚えることもない。
【００４１】
勿論、この簡易トイレ９は、図１９に示す携帯状態から、袋体２及び吸収体３をそれぞれ伸ばせば、上述した実施形態（図２〜図５参照）と同様に、袋体２を裏返して袋体胴部に露出させた吸収体３で排泄物を受けることができる。即ち、図２１に示すように、袋底部２１の粘着部９４を袋口部２２から剥がして袋体２を伸ばし、そして、剥離ライナ９３を剥離して粘着部９２の粘着面を露出させた後、二つ折りされた吸収体３を伸ばして、粘着部９２を袋体２の袋底部２１の内面に粘着させれば、吸収体３の裏面を全体的に袋体２の胴部内面に固定することができる。その後、袋体２を裏返せば、袋体２の胴部に吸収体３を露出させることができ、裏返した袋体２の中へ手を差し入れて吸収体３で排泄物を受けることができるのである。
【００４２】
以上、本発明の実施変形例について、図面に基いて種々説明したが、本発明に係る簡易トイレは、図示したものに限定されず、その他の態様でも実施し得るものである。
【００４３】
例えば、上記実施例では、袋体２を筒状の合成樹脂フィルムの一端をヒートシールして構成しているが、勿論これに限定されるものではなく、例えば二枚の合成樹脂シートを重ね合せ、各シートの周縁部のうちの三方を互いにヒートシールして袋状に構成しても良く、また、一枚の合成樹脂シートを二つ折りしてその重なり合った側縁部をヒートシールして袋状に構成しても良い。また、袋体２の胴部にエンボス加工等により滑り止めのために凹凸を形成しても良い。また、袋体は、その袋底部が線状になった平袋形状に限定されるものではなく、例えば、長円形状の底部を備えた袋として構成しても良く、また、液体排泄物を含んだ際の吸収体の膨張分、或いは固形排泄物の体積増加分を受け入れるための空間を予め確保するために、吸収体固定部分だけを外側へ膨らませるように袋体の胴部を立体成形して袋体を構成しても良い。
【００４４】
また、上記実施例では、袋口部２２の封止手段としてファスナ２３を設けているが、封止手段として袋口部２２の内側に粘着部を設け、この粘着部で袋口部２２を開閉可能に封止しても良く、また、袋口部２２を閉じ状態で折り返し、この折り返し端部に粘着テープを貼着して封止しても良い。また、袋口部２２自体を結ぶことによって袋口部２２を封止しても良い。
【００４５】
また、上記実施例では何れも、吸収体３の吸収面側に粘着部を設け、この粘着部の粘着面に剥離ライナを貼設しているが、必ずしも粘着部を吸収体３の吸収面側に設ける必要はない。本発明は、その趣旨を逸脱しない範囲内で当業者の知識に基づき、種々の改良、変更、修正を加えた態様で実施し得るものである。
【００４６】
また、同一の作用又は効果が生じる範囲内で、何れかの発明特定事項を他の技術に置換した形態で実施しても良く、また、一体に構成されている発明特定事項を複数の部材から構成しても、複数の部材から構成されている発明特定事項を一体に構成した形態で実施しても良い。
【００４７】
【発明の効果】
以上のように、本発明に係る簡易トイレによれば、裏返した袋体の中へ手を完全に差し入れた状態で、袋体の外側に露出した吸収体を排泄器官に近接させて排泄物を受けることができるので、手が排泄器官と接触したり、排泄物が手に付着するおそれもなく、別途、手袋等を用意しなくても頗る衛生的に使用することができる。
【００４８】
しかも、吸収体が袋体に固定されているので、袋体内に手を差し入れている限り、吸収体がずれたり落下したりすることもない。したがって、排泄時に、安定的かつ確実に吸収体で排泄物を受けることができ、さらに、排泄後にも、簡単かつ確実に袋体を裏返して吸収体を袋体内に収容することができる。更にまた、吸収体が袋体の胴部に固定されているので、袋体内に差し入れた手だけで吸収体を把持することも可能であり、したがって、吸収体を積極的に把持しながら袋体を裏返せば、より簡単かつ確実に吸収体を袋体内に収容することができる。
【００４９】
更にまた、吸収体の吸収面側の縁部に粘着部を設けた簡易トイレによれば、排泄時に吸収体を排泄器官の周囲に付着させて、より確実に排泄物を吸収体で受けることができるので、排泄行為者にとっても安心して排泄行為を行うことができる。また、この粘着部を利用して吸収体を袋状にすることもでき、このことによっても排泄物をより確実に受けることができる。
【００５０】
更にまた、吸収体が袋体内で二つ折りされた簡易トイレによれば、頗るコンパクトにすることができ、その携帯性を向上させることができる。
【図面の簡単な説明】
【図１】本発明に係る簡易トイレの携帯状態の全体斜視図である。
【図２】図１のＡ−Ａ線における簡易トイレの断面図である。
【図３】同簡易トイレの使用手順を説明する斜視図である。
【図４】同簡易トイレの使用手順を説明する斜視図である。
【図５】同簡易トイレの使用手順を説明する斜視図である。
【図６】本発明に係る変形例の簡易トイレの吸収体の裏面図である。
【図７】本発明に係る他の変形例の簡易トイレの吸収体の裏面図である。
【図８】本発明に係る更に他の変形例の簡易トイレの吸収体の裏面図である。
【図９】本発明に係る更に他の変形例の簡易トイレの吸収体の裏面図である。
【図１０】本発明に係る更に他の変形例の簡易トイレの使用状態の斜視図である。
【図１１】同簡易トイレの吸収体の裏面図である。
【図１２】同簡易トイレの使用手順を説明する斜視図である。
【図１３】同簡易トイレの使用手順を説明する斜視図である。
【図１４】同簡易トイレの使用手順を説明する斜視図である。
【図１５】同簡易トイレの他の使用状態を説明する斜視図である。
【図１６】発明に係る更に他の変形例の簡易トイレの使用状態の斜視図である。
【図１７】発明に係る更に他の変形例の簡易トイレの使用状態の平面図である。
【図１８】同簡易トイレの使用状態の平面図である。
【図１９】発明に係る更に他の変形例の簡易トイレの携帯状態の断面図である。
【図２０】同簡易トイレの他の使用例を説明する断面図である。
【図２１】同簡易トイレの使用手順を説明する断面図である。
【符号の説明】
１、５、８、９  簡易トイレ
２  袋体
２１  袋底部
２２  袋口部
２３  ファスナ（封止手段）
３  吸収体
３３  襞
３４、３６、３８  粘着部
３５、３７、３９  剥離ライナ
Ｅ、Ｆ  排泄物
Ｈ  手
【図１】
2004275196.tif 000003
【図２】
2004275196.tif 000004
【図３】
2004275196.tif 000005
【図４】
2004275196.tif 000006
【図５】
2004275196.tif 000007
【図６】
2004275196.tif 000008
【図７】
2004275196.tif 000009
【図８】
2004275196.tif 000010
【図９】
2004275196.tif 000011
【図１０】
2004275196.tif 000012
【図１１】
2004275196.tif 000013
【図１２】
2004275196.tif 000014
【図１３】
2004275196.tif 000015
【図１４】
2004275196.tif 000016
【図１５】
2004275196.tif 000017
【図１６】
2004275196.tif 000018
【図１７】
2004275196.tif 000019
【図１８】
2004275196.tif 000020
【図１９】
2004275196.tif 000021
【図２０】
2004275196.tif 000022
【図２１】
2004275196.tif 000023